(57)【要約】【課題】多種の汚染土壌又は／及び単独もしくは組み合わせた廃棄物を、季節、地域によらず、短時間で確実に安定化する。【解決手段】汚染土壌又は／並びに製紙スラッジ、木くず、有機系汚泥、ごみ、石炭などの燃焼灰及び汚泥の少なくともいずれかの廃棄物に石灰材及び／又はシリカ材を加え、ＣａＯ量を２．５〜３５重量％、ＳｉＯ２  量を２５〜６５重量％に調整し、混練機１０における汚染土壌又は／及び廃棄物に対して０．２５〜１５重量％の還元材を溶解させた水による混練にてファニキュラー状態とした後、水蒸気処理機１２における４０〜１００℃、０．５〜２４ｈ  の蒸気処理にて安定な処理物とする。【選択図】        図１
2004167374.tif 000002
【特許請求の範囲】
【請求項１】
汚染土壌又は／並びに製紙スラッジ、木くず、有機系汚泥、ごみ、石炭などの燃焼灰及び汚泥の少なくともいずれかの廃棄物に石灰材及び／又はシリカ材を加え、ＣａＯ量を２．５〜３５重量％、ＳｉＯ２  量を２５〜６５重量％に調整し、汚染土壌又は／及び廃棄物に対して０．２５〜１５重量％の還元材を溶解させた水による混練にてファニキュラー状態とした後、４０〜１００℃、０．５〜２４ｈ  にて蒸気処理することを特徴とする汚染土壌・廃棄物の安定化方法。
【請求項２】
石灰材として、消石灰、生石灰、貝殻などのＣａＯを含む廃棄物焼成品、貝殻粉末、石灰石粉末及び主成分が炭酸カルシウムであるライムケーキの少なくともいずれかを用いる請求項１記載の汚染土壌・廃棄物の安定化方法。
【請求項３】
シリカ材として、シリカヒューム、粘土及び白土の少なくともいずれかの非晶質ＳｉＯ２  の含有量が多い物質を用いる請求項１又は２記載の汚染土壌・廃棄物の安定化方法。
【請求項４】
還元材として、硫酸第一鉄・塩化第一鉄などの第一鉄塩、硫化ナトリウムなどの硫化物及びシュウ酸・ギ酸などの低級脂肪酸などの水に可溶性の物質の少なくともいずれかを用いる請求項１、２又は３記載の汚染土壌・廃棄物の安定化方法。
【請求項５】
汚染土壌又は／及び廃棄物と、石灰材及び／又はシリカ材に、還元材を溶解させた水を加えてファニキュラー状態に混練するための混練機と、この混練機からの混練物を投入する、内部に水平軸の攪拌翼を有する略水平円筒容器型の水蒸気処理機とを備えたことを特徴とする汚染土壌・廃棄物の安定化装置。
【請求項６】
汚染土壌又は／及び廃棄物と、石灰材及び／又はシリカ材に、還元材を溶解させた水を加えてファニキュラー状態に混練するための混練機と、この混練機からの混練物を投入する、容器が回転する略水平円筒容器型の水蒸気処理機とを備えたことを特徴とする汚染土壌・廃棄物の安定化装置。
【請求項７】
汚染土壌又は／及び廃棄物と、石灰材及び／又はシリカ材に、還元材を溶解させた水を加えてファニキュラー状態に混練するための混練機と、この混練機からの混練物を投入するための、上部が開放された複数の小容器と、これらの小容器を順次導入するトンネル式水蒸気養生機と、水蒸気養生された処理物の入った小容器を持ち上げ、略水平方向に回転し、反転を行い、処理物を排出する構造の反転機とを備えたことを特徴とする汚染土壌・廃棄物の安定化装置。
【発明の詳細な説明】
【０００１】
【発明の属する技術分野】
本発明は、有害重金属を含有する汚染土壌又は／及び燃焼灰、汚泥などの廃棄物を安定化する方法及び安定化装置に関するものである。安定化された処理物は、埋戻材、盛土材等の土木資材、汚泥等の水分調整材、家畜糞尿等の水分調整と脱臭を兼ねた処理材、土壌改良材等として利用することができる。
【０００２】
【従来の技術】
従来、汚染土壌又は廃棄物の処理方法として、次の方法が提案されている。
（１）  可溶性重金属を含有する土壌又は産業廃棄物に硫酸鉄と水を添加した後、カルシウム化合物を添加して適切な範囲のｐＨに調整することにより、土壌又は廃棄物を無害化処理する方法（例えば、特許文献１参照）。
（２）  重金属汚染土壌に硫酸鉄などの還元剤とセメント、石こうを添加し、５０〜１５０℃で熱処理を行うことにより、汚染土壌を安定化処理する方法（例えば、特許文献２参照）。
（３）  微粉状廃棄物をカルシウム成分の存在下で、必要に応じ固化促進剤及び／又は還元剤を添加混合して成型した後、大気圧下で、温度５０℃以上の水又は水蒸気中に３日間以上放置、養生することにより、廃棄物を固化処理する方法（例えば、特許文献３参照）。
【０００３】
【特許文献１】
特開２００１−１２１１３１号公報（第１頁）
【特許文献２】
特開２０００−１０２７７６号公報（第１頁、第２頁）
【特許文献３】
特開昭５６−１６１８８０号公報（第１頁）
【０００４】
【発明が解決しようとする課題】
これらの従来技術は、次のような問題点を有している。（１）の方法は、常温での処理のため、地域、季節等による雰囲気温度の違いにより、反応の進行程度のバラツキが大きい。また、ＣａＯ量、ＳｉＯ２  量の調整を行っていないので、Ｃ−Ｓ−Ｈ等の水和物生成にバラツキがある。さらに、硫酸鉄と水の添加後、カルシウム化合物を添加するため、カルシウム化合物の分散が不十分となる。それらにより、多種の汚染土壌、産業廃棄物に対し、地域、季節にかかわらず、確実な安定化を図ることができない。
【０００５】
（２）の方法は、５０〜１５０℃の熱処理を行うため、地域、季節による処理効果の違いは少なくなるが、乾燥雰囲気での処理のため、水和反応進行が不十分である。また、ＣａＯ量、ＳｉＯ２  量の調整を行っていないので、Ｃ−Ｓ−Ｈ等の水和物生成にバラツキがある。そのため、多種の汚染土壌に対し、確実な安定化を図ることができない。
【０００６】
（３）の方法は、混合、成型、３日以上の養生を行う方法であるので、処理コストが高い。また、ＣａＯ量、ＳｉＯ２  量の調整を行っていないので、Ｃ−Ｓ−Ｈ等の水和物生成にバラツキがある。そのため、多種の微粉状廃棄物に対し、確実な安定化を図ることができない。
また、（１）、（２）、（３）とも、混合方法、混練方法、混練物状態についての具体的な記述はなく、本発明の方法における混練によるファニキュラー状態（粒子表面全体が液体でぬれ、数百μｍ  〜数十ｍｍの粒状体となっている状態）とすることは記載されていない。
【０００７】
本発明は上記の諸点に鑑みなされたもので、本発明の目的は、多種の汚染土壌又は／及び単独もしくは組み合わせた廃棄物を、季節、地域によらず、短時間で確実に安定化することができる方法及び装置を提供するものである。
【０００８】
【課題を解決するための手段】
上記の目的を達成するために、本発明の汚染土壌・廃棄物の安定化方法は、汚染土壌又は／並びに製紙スラッジ、木くず、有機系汚泥、ごみ、石炭などの燃焼灰及び汚泥の少なくともいずれかの廃棄物に石灰材及び／又はシリカ材を加え、ＣａＯ量を２．５〜３５重量％、ＳｉＯ２  量を２５〜６５重量％に調整し、汚染土壌又は／及び廃棄物に対して０．２５〜１５重量％の還元材を溶解させた水による混練にてファニキュラー状態とした後、４０〜１００℃、０．５〜２４ｈ  の蒸気処理にて安定な処理物とするように構成される（図１〜図３参照）。
【０００９】
この方法において、石灰材として、消石灰、生石灰、貝殻などのＣａＯを含む廃棄物焼成品、貝殻粉末、石灰石粉末及び主成分が炭酸カルシウムであるライムケーキの少なくともいずれかを用いることが好ましい。
また、シリカ材として、シリカヒューム、粘土及び白土の少なくともいずれかの非晶質ＳｉＯ２  の含有量が多い物質を用いることが好ましい。
また、還元材として、硫酸第一鉄・塩化第一鉄などの第一鉄塩、硫化ナトリウムなどの硫化物及びシュウ酸・ギ酸などの低級脂肪酸などの水に可溶性の物質の少なくともいずれかを用いることが好ましい。
【００１０】
本発明の汚染土壌・廃棄物の安定化装置は、汚染土壌又は／及び廃棄物と、石灰材及び／又はシリカ材に、還元材を溶解させた水を加えてファニキュラー状態に混練するための混練機と、この混練機からの混練物を投入し安定な処理物とするための、内部に水平軸の攪拌翼を有する略水平円筒容器型の水蒸気処理機とを備えたことを特徴としている（図１参照）。
【００１１】
また、本発明の安定化装置は、汚染土壌又は／及び廃棄物と、石灰材及び／又はシリカ材に、還元材を溶解させた水を加えてファニキュラー状態に混練するための混練機と、この混練機からの混練物を投入し安定な処理物とするための、容器が回転する略水平円筒容器型の水蒸気処理機とを備えたことを特徴としている（図２参照）。
【００１２】
さらに、本発明の安定化装置は、汚染土壌又は／及び廃棄物と、石灰材及び／又はシリカ材に、還元材を溶解させた水を加えてファニキュラー状態に混練するための混練機と、この混練機からの混練物を投入するための、上部が開放された複数の小容器と、これらの小容器を順次導入し混練物を安定な処理物とするトンネル式水蒸気養生機と、水蒸気養生された処理物の入った小容器を持ち上げ、略水平方向に回転し、反転を行い、処理物を排出する構造の反転機とを備えたことを特徴としている（図３参照）。
【００１３】
本発明の方法及び装置において、多種の汚染土壌、廃棄物への適用のために、次の２つの組み合わせにて対応する。
（１）  石灰材及び／又はシリカ材の添加により、廃棄物等のＣａＯ量を２．５〜３５重量％、望ましくは３．５〜３５重量％、ＳｉＯ２  量を２５〜６５重量％、望ましくは３０〜６０重量％に調整する。ＣａＯ量が下限未満ではＣ−Ｓ−Ｈなどの反応が進まず、一方、上限を超えると、フリーのＣａＯが多く残存し、安定化効果が不十分である。また、ＳｉＯ２  量が下限未満、上限を超える場合には、Ｃ−Ｓ−Ｈ反応が十分進まず、安定化効果が不十分である。なお、ＣａＯ量を３．５〜３５重量％、ＳｉＯ２  量を３０〜６０重量％とすることにより、より十分な固化が期待できる。
石灰材は、消石灰、生石灰、貝殻などの廃棄物焼成品などが適しているが、貝殻粉末、石灰石粉末、主成分が炭酸カルシウムであるライムケーキなどの廃棄物も適用できる。シリカ材はシリカヒューム、粘土、白土などの非晶質ＳｉＯ２  が多いものが適している。
【００１４】
（２）  廃棄物等のＣａＯ量に応じて、硫酸鉄などの還元材の添加量を調整する。すなわち、ＣａＯ量が多くなるに伴い、Ｃｒ６＋、Ｓｅなどの溶出が増加する傾向にあるので還元材量を増加させる。具体的には廃棄物等のＣａＯ量１重量％の増加に対し還元材量を０．２〜２重量％増加させ、廃棄物量に対して０．２５〜１５重量％の範囲で調整するのが適している。０．２５重量％未満ではＣｒ６＋、Ｓｅ、Ａｓ等を十分に還元・固定できず、１５重量％を超えると溶出液ｐＨが低くなり、安定化効果が不十分である。
還元材は第一鉄塩（硫酸鉄、塩化鉄など）、硫化物（硫化ナトリウムなど）、低級脂肪酸（シュウ酸、ギ酸など）などの水に可溶性物質が適している。特に、鉄塩はフェライト化物で有害重金属を固定する機能を有するので、この鉄塩を用いることがより好適である。また、硫酸塩はエトリンガイトを生成するので、安定化効果の促進に有効である。
【００１５】
また、短時間に確実に安定化させるために、次の２つの組み合わせにて対応する。
（１）  廃棄物等に石灰材及び／又はシリカ材を添加した後、還元材が溶解した溶液を加え、フルード数が０．５以上の高速で混練を行って、粒子全体が水でぬれるファニキュラー状態の混練物とする。ファニキュラー状態の混練物とすることにより、還元反応及び水和反応が十分に進行し、確実な安定化が図れる。フルード数が０．５未満では粒子表面全体が水でぬれたファニキュラー状態の混練物を製造できない。なお、フルード数は、Ｎ２  Ｒ／ｇ（Ｎ：回転数、Ｒ：攪拌翼径、ｇ：重力加速度）で表される無次元数であり、本発明では混練速度に対応している。
【００１６】
（２）  ファニキュラー状態の混練物を４０〜１００℃、望ましくは６０〜９８℃、０．５〜２４ｈ  、望ましくは１〜１０ｈ  、湿度９０％以上で水蒸気処理を行う。その結果、粒子周辺の水分が保持され、温度が高くなるので、水和反応速度が速くなって、短時間の処理にて、確実に安定化が図れる。温度が下限未満では水和反応速度が遅くなり、上限を超える場合は処理装置が高価になる。時間が下限未満では水和反応進行が不十分であり、上限を超える場合は処理装置が高価になる。湿度が９０％未満であると、粒子周辺の水分が揮発するので、水和反応進行が不十分となる。
本発明においては、上記のＣａＯ量、ＳｉＯ２  量、蒸気処理温度、蒸気処理時間は、本発明における数値範囲又は望ましい数値範囲を適宜組み合わせて用いることができる。
【００１７】
【発明の実施の形態】
以下、本発明の実施の形態について説明する。本発明は下記の実施の形態に何ら限定されるものではなく、適宜変更して実施することができるものである。
図１は本発明の実施の第１形態による汚染土壌・廃棄物の安定化装置を示している。
【００１８】
本実施形態の安定化装置は、汚染土壌又は／及び製紙スラッジ、木くず、有機系汚泥、ごみ、石炭などの燃焼灰、汚泥などの廃棄物単独、もしくは組み合わせた廃棄物と、石灰材及び／又はシリカ材に、還元材（例えば、硫酸第一鉄）を溶解させた水を加えてファニキュラー状態に混練するための混練機１０と、この混練機１０からの混練物を安定な処理物とするための、内部に水平軸１４の攪拌翼１６を有する略水平円筒容器型の水蒸気処理機１２とを主要構成機器として備えている。
【００１９】
混練機１０は、回転軸垂直のアイリッヒミキサ、ヘンシェルミキサなど、回転軸水平のタービュライザ、パドルミキサなどの高速回転で混練する機種が適している。攪拌翼１６を有する蒸気処理機１２は、水平軸が１本又は２本でもよく、加熱は外部加熱と内部加熱を併用するのが望ましい。内部加熱は空洞部１８の攪拌翼１６に水蒸気などを供給する方法、水蒸気を直接供給する方法のいずれでもよいが、内部湿度９０％以上を確実に確保できる水蒸気を直接供給することが望ましい。２０はジャケットである。
【００２０】
図２は本発明の実施の第２形態による汚染土壌・廃棄物の安定化装置を示している。本実施形態の安定化装置は、汚染土壌又は／及び製紙スラッジ、木くず、有機系汚泥、ごみ、石炭などの燃焼灰、汚泥などの廃棄物単独、もしくは組み合わせた廃棄物と、石灰材及び／又はシリカ材に、還元材（例えば、硫酸第一鉄）を溶解させた水を加えてファニキュラー状態に混練するための混練機１０と、この混練機１０からの混練物を安定な処理物とするための、円筒容器２２が回転する略水平円筒容器型の水蒸気処理機１２ａとを主要構成機器として備えている。なお、本実施形態における水蒸気処理機１２ａは攪拌翼を有していない。
【００２１】
混練機１０は、回転軸垂直のアイリッヒミキサ、ヘンシェルミキサなど、回転軸水平のタービュライザ、パドルミキサなどが適している。円筒容器２２が回転する水蒸気処理機１２ａは、セメント焼成炉などに用いられているロータリ型円筒容器が適している。加熱は外部加熱と内部加熱を併用するのが望ましい。内部加熱は水蒸気を直接円筒内部（空洞部１８）に供給する方法が適している。２０はジャケットである。
【００２２】
図３は本発明の実施の第３形態による汚染土壌・廃棄物の安定化装置を示している。本実施形態の安定化装置は、汚染土壌又は／及び製紙スラッジ、木くず、有機系汚泥、ごみ、石炭などの燃焼灰、汚泥などの廃棄物単独、もしくは組み合わせた廃棄物と、石灰材及び／又はシリカ材に、還元材（例えば、硫酸第一鉄）を溶解させた水を加えてファニキュラー状態に混練するための混練機１０と、この混練機１０からの混練物を投入するための、上部が開放され、かつ反転用の治具又は係合用突起（図示略）を有する複数の小容器２４と、これらの小容器２４を順次導入し混練物を安定な処理物とするトンネル式水蒸気養生機（水蒸気処理機）２６と、水蒸気養生された処理物の入った小容器２４を持ち上げ、略水平方向に回転し、反転を行い、処理物を排出する構造の反転機２８とを主要構成機器として備えている。
【００２３】
混練機１０は、回転軸垂直のアイリッヒミキサ、ヘンシェルミキサなど、回転軸水平のタービュライザ、パドルミキサなどが適している。反転用の治具付きの上部が開放された小容器２４は、トンネル式水蒸気養生機２６内に設けたレール３０上を移動できるように、キャスター３２付きのものが適している。トンネル式水蒸気養生機２６は、一例として、壁が断熱材で構成され、内部に容器移動用のレール３０と、温度と湿度を維持するための水蒸気吹き出し管３４を有する構造である。反転機２８は小容器２４の持ち上げ、回転・反転を行い、処理物を排出する構造である。
【００２４】
混練物が投入された小容器２４は、例えば、プッシャー等により押されて移動させられる。また、反転機２８としては、例えば、小容器２４の両側に設けられた治具又は係合用突起を挟持部材で係合挟持して、上昇させた後、略水平方向に回転させ、ついで、反転させるようにした構造のもの等を挙げることができる。
【００２５】
【実施例】
以下に実施例及び比較例を示し、本発明の特徴とするところをより一層明確にする。
実施例１
有害重金属等（Ｃｄ、Ｐｂ、Ｃｒ６＋、Ａｓ、Ｔ−Ｈｇ、Ｓｅ、Ｆ、Ｂ）の溶出量が土壌環境基準を超える石炭灰（ＣａＯ：１．５重量％、ＳｉＯ２  ：６０重量％）１００重量部、消石灰３重量部を回転軸垂直の混練機に投入し、フルード数１．５（回転数５１０ｒｐｍ  ）で２分間混合して混合粉体（ＣａＯ：３．７重量％、ＳｉＯ２  ：５８．３重量％）を製造した後、硫酸第一鉄２重量部を溶解させた水溶液３０重量部を加え、さらに３分間混練を行い、ファニキュラー状態の混練物を製造した。該混練物を反転用の治具付きの上部が開放された容器に投入し、容器を９５℃に保持したトンネル式水蒸気処理機に送り出して３時間処理を行った。処理後、反転機で処理物を取り出した。処理物の有害重金属等の溶出量は、土壌環境基準を満足した。また、該処理物を家畜糞尿に対して３０重量％混合した結果、ハンドリング性が良好となり、悪臭の発生も抑制された。
【００２６】
実施例２
有害重金属等の溶出量が土壌環境基準を超える製紙スラッジ灰（ＣａＯ：１８重量％、ＳｉＯ２  ：３３重量％）１００重量部、消石灰３重量部を回転軸垂直の混練機に投入し、フルード数１．５（回転数５１０ｒｐｍ  ）で２分間混合して混合粉体（ＣａＯ：１９．６重量％、ＳｉＯ２  ：３２．０重量％）を製造した後、硫酸第一鉄６重量部を溶解させた水溶液５５重量部を加え、さらに３分間混練を行い、ファニキュラー状態の混練物を製造した。該混練物を９５℃に保持した容器が回転する水蒸気処理機に投入し、１時間処理を行った。処理物の有害重金属等の溶出量は、土壌環境基準を満足した。
【００２７】
実施例３
有害重金属等の溶出量が土壌環境基準を超える汚染土壌（水分：４５重量％、ＣａＯ：２．０重量％、ＳｉＯ２  ：３５重量％）１００重量部、製紙スラッジ灰（ＣａＯ：１８重量％、ＳｉＯ２  ：３３重量％）３０重量部、生石灰２重量部を回転軸水平の混練機に投入し（混合物成分：ＣａＯ：５．６重量％、ＳｉＯ２  ：３４．０重量％）、ただちに、硫酸第一鉄１．５重量部を溶解させた水溶液５重量部を加え、フルード数２．０（回転数６５０ｒｐｍ  ）で３分間混練を行い、ファニキュラー状態の混練物を製造した。該混練物を９５℃に保持した二軸の攪拌翼を有する水蒸気処理機に投入し、２時間処理を行った。処理物の有害重金属等の溶出量は、土壌環境基準を満足した。
【００２８】
実施例４
有害重金属等の溶出量が土壌環境基準を超える石炭灰（ＣａＯ：１．０重量％、ＳｉＯ２  ：５４重量％）１００重量部、ライムケーキ（水分：２５重量％、ＣａＣＯ３  ：７０重量％）１０重量部を回転軸垂直の混練機に投入し、フルード数１．５（回転数５１０ｒｐｍ  ）で２分間混合して混合粉体（ＣａＯ：４．５重量％、ＳｉＯ２  ：４９．１重量％）を製造した後、硫酸第一鉄０．５重量部を溶解させた水溶液３１重量部を加え、さらに３分間混練を行い、ファニキュラー状態の混練物を製造した。該混練物を９５℃に保持した二軸の攪拌翼を有する水蒸気処理機に投入し、１時間処理を行った。処理物の有害重金属等の溶出量は、土壌環境基準を満足した。
【００２９】
比較例１
有害重金属等の溶出量が土壌環境基準を超える石炭灰（ＣａＯ：１．５重量％、ＳｉＯ２  ：６０重量％）１００重量部、消石灰３重量部を回転軸垂直の混練機に投入し、フルード数１．５（回転数５１０ｒｐｍ  ）で２分間混合して混合粉体（ＣａＯ：３．７重量％、ＳｉＯ２  ：５８．２重量％）を製造した後、水３０重量部を加え、さらに３分間混練を行い、ファニキュラー状態の混練物を製造した。該混練物を９５℃に保持した二軸の攪拌翼を有する水蒸気処理機に投入し、２時間処理を行った。処理物の有害重金属等の溶出量において、Ｃｒ６＋（０．１５ｍｇ／Ｌ  ）、Ｓｅ（０．０３ｍｇ／Ｌ  ）が土壌環境基準を満足しなかった。
【００３０】
比較例２
有害重金属等の溶出量が土壌環境基準を超える石炭灰（ＣａＯ：１．５重量％、ＳｉＯ２  ：６０重量％）１００重量部を回転軸垂直の混練機に投入後、硫酸第一鉄２重量部を溶解させた水溶液３０重量部を加え、フルード数１．５（回転数５１０ｒｐｍ  ）３分間混練を行い、ファニキュラー状態の混練物を製造した。該混練物を反転用の治具付きの上部が開放された容器に投入し、容器を９５℃に保持したトンネル式水蒸気処理機に送り出して５時間処理を行った。処理後、反転機で処理物を取り出した。処理物の有害重金属等の溶出量において、Ｂ（１．５ｍｇ／Ｌ  ）、Ａｓ（０．０５ｍｇ／Ｌ  ）が土壌環境基準を満足しなかった。
【００３１】
比較例３
有害重金属等の溶出量が土壌環境基準を超える石炭灰（ＣａＯ：１．５重量％、ＳｉＯ２  ：６０重量％）１００重量部、消石灰３重量部を回転軸垂直の混練機に投入し、フルード数０．２５（回転数８５ｒｐｍ  ）で２分間混合して混合粉体（ＣａＯ：３．７重量％、ＳｉＯ２  ：５８．２重量％）を製造した後、硫酸第一鉄１重量部を溶解させた水溶液３３重量部を加え、さらに４分間混練を行い、ペンデュラー状態（粒子表面が均一に水でぬれていない状態）の混練物を製造した。該混練物を９５℃に保持した二軸の攪拌翼を有する水蒸気処理機に投入し、２時間処理を行った。処理物の有害重金属等の溶出量において、Ｃｒ６＋（０．１１ｍｇ／Ｌ  ）、Ｓｅ（０．０２ｍｇ／Ｌ  ）が土壌環境基準を満足しなかった。
【００３２】
【発明の効果】
本発明は上記のように構成されているので、つぎのような効果を奏する。
（１）  汚染土壌又は／及び廃棄物を安価な添加材と簡単な処理にて低コストで安定化を図ることができる。
（２）  還元材の還元作用と、還元材、石灰、シリカとの反応生成物であるフェライト、Ｃ−Ｓ−Ｈ、エトリンガイトにて有害重金属等の安定化が確実に図ることができる。
（３）  水蒸気処理を行うことにより、季節、地域にて異なる雰囲気温度の違いによる安定化効果の差異をなくし、短時間に安定化を図ることができる。
（４）  安定化物は、埋戻材、盛土材などの土木資材、汚泥等の水分調整材、家畜糞尿などの水分調整と脱臭を兼ねた処理材、土壌改良材などの多くの用途への展開を図ることができる。
【図面の簡単な説明】
【図１】本発明の実施の第１形態による汚染土壌・廃棄物の安定化装置の概略構成図である。
【図２】本発明の実施の第２形態による汚染土壌・廃棄物の安定化装置の概略構成図である。
【図３】本発明の実施の第３形態による汚染土壌・廃棄物の安定化装置の概略構成図である。
【符号の説明】
１０  混練機
１２、１２ａ  水蒸気処理機
１４  水平軸
１６  攪拌翼
１８  空洞部
２０  ジャケット
２２  円筒容器
２４  小容器
２６  トンネル式水蒸気養生機
２８  反転機
３０  レール
３２  キャスター
３４  水蒸気吹き出し管
【図１】
2004167374.tif 000003
【図２】
2004167374.tif 000004
【図３】
2004167374.tif 000005